(57)【特許請求の範囲】
【請求項１】
周壁（３）の前部内側に係止手段を、後部内側に係止手段および前方への押圧手段をそれぞれ設けた有底短筒状の本体（１）と、該本体（１）の後端に開閉回動自在に蝶番結合した蓋体（１３）と、前面および後面に、前記各係止手段に係止する係止手段を有し、前記本体（１）の周壁（３）内部に着脱自在に組付けられる化粧料収納用ドラム枠（２０）と、から構成されるコンパクト容器であって、前記本体（１）後部の係止手段および押圧手段のいずれか一方を、蓋体蝶番用凹部（４）を形成した部分の肉薄後壁（３ａ）に設け、他方を、該肉薄後壁（３ａ）の両側の肉厚周壁（３ｂ）側に設けて成るコンパクト容器。
【請求項２】
本体（１）後部の係止手段を、肉薄後壁（３ａ）に切込み状に形成した弾性片（７）の先端に設けた係止突条（６）とし、前記本体（１）後部の押圧手段を、前記肉薄後壁（３ａ）の両側の肉厚周壁（３ｂ）の内面に一体に形成した、押圧突条（８）を有する押圧片（９）とした請求項１に記載のコンパクト容器。
【請求項３】
本体（１）後部の係止手段を、両側一対の肉薄後壁（３ａ）の間の底壁（２）上に立設した弾性片（７）の先端の係止突条（６）とし、前記本体（１）後部の押圧手段を、前記肉薄後壁（３ａ）の両側の肉厚周壁（３ｂ）の内面に形成した凹部の底壁（２）上に立設した、押圧突条（８）を有する押圧片（９）とした請求項１に記載のコンパクト容器。
【請求項４】
本体（１）後部の係止手段を、肉薄後壁（３ａ）の両側の肉厚周壁（３ｂ）の内面に形成した凹部の底壁（２）上に立設した弾性片（７）の先端の係止突条（６）とし、前記本体（１）後部の押圧手段を、略中央部内面に押圧凸部（８ａ）を形成した前記肉薄後壁（３ａ）とした請求項１に記載のコンパクト容器。
【請求項５】
肉薄後壁（３ａ）を肉厚周壁（３ｂ）の内面よりも内側へ突出した形態とし、本体（１）後部の係止手段を、前記肉薄後壁（３ａ）の両側の底壁（２）上に立設した弾性片（７）先端の係止突条（６）とし、前記本体（１）後部の押圧手段を、前記肉薄後壁（３ａ）に切込み状に形成した、押圧突条（８）を有する押圧片（９）とした請求項１に記載のコンパクト容器。
【請求項６】
本体（１）の底壁（２）上面の略中心部から肉薄後壁（３ａ）の中央部の間に前後方向の突条（３１）を設けると共に、ドラム枠（２０）の底部（２１）後部に、前記突条（３１）が係合可能な長溝（３５）を設けた請求項１または２または３または４または５に記載のコンパクト容器。
【請求項７】
本体（１）、蓋体（１３）およびドラム枠（２０）をそれぞれ平面略長円形状に形成すると共に、前記本体（１）の周壁（３）の両側端内面および前記ドラム枠（２０）の両側端外面に、組付け時に互いに接する、前後方向に直線状の平面部（３２）および平面部（３６）をそれぞれ形成した請求項１または２または３または４または５または６に記載のコンパクト容器。
【発明の詳細な説明】
【０００１】
【産業上の利用分野】
本発明は、本体に対して、化粧料収納用のドラム枠を着脱自在に組付けることを可能としたコンパクト容器に関するものである。
【０００２】
【従来の技術】
本体に対して、化粧料収納用のドラムを着脱自在に組付ける構成とし、もって携帯する化粧料を詰め替えできるようにしたコンパクト容器の代表例として、実公昭６２−８８０１号公報に開示された技術がある。
【０００３】
この従来技術は、本体に形成されたドラム収納部に、ドラムを、バネ板により前方に弾力を付勢された状態で、ドラムの前面下端を係止すると共に、ドラムの後端縁上面を、本体に取り付けた中枠の上端折曲部に下方から係止させて嵌装組付けし、ドラム交換時には、弾力に逆らってドラムをわずかに後退させて前端部の係止を解除して、ドラムのドラム収納部からの離脱を達成するものとなっており、このドラムの交換が容易であるという利点があった。
【０００４】
【発明が解決しようとする課題】
しかしながら、上記従来技術は、本体の周壁内側に前記中枠を取り付け、さらにその内側に、前記バネ板の弾性変位ストローク分の間隙を設けて該バネ板を立設した構成であるので、本体の周壁内側に、収納空間として機能することのできないスペースを設けなければならず、コンパクト容器の小型化を充分に達成することができないという問題があった。
【０００５】
そこで、本発明は、上記した従来技術における問題点を解消すべく創案されたもので、本体の周壁部分及び蓋体蝶番用凹部を有効利用することにより、本体内のスペースを節約し、もってコンパクト容器の小型化を図ることを目的とする。
【０００６】
【課題を解決するための手段】
上記目的を達成するために本発明は、周壁の前部内側に係止手段を、後部内側に係止手段及び前方への押圧手段をそれぞれ設けた有底短筒状の本体と、この本体の後端に開閉回動自在に蝶番結合した蓋体と、前面及び後面に、前記各係止手段に係止する係止手段を有し、本体の周壁内部に着脱自在に組付けられる化粧料収納用のドラム枠と、から構成されるコンパクト容器であること、
本体後部の係止手段及び押圧手段のいずれか一方を、蓋体蝶番用凹部を形成した部分の肉薄後壁に設け、他方を、この肉薄後壁の両側の肉厚周壁側に設けること、
にある。
【０００７】
本体後部の係止手段を、肉薄後壁に切込み状に形成した弾性片の先端に設けた係止突条とし、本体後部の押圧手段を、肉薄後壁の両側の肉厚周壁の内面に一体に形成した、押圧突条を有する押圧片とするのが良い。
【０００８】
本体後部の係止手段を、両側一対の肉薄後壁の間の底壁上に立設した弾性片の先端の係止突条とし、本体後部の押圧手段を、肉薄後壁の両側の肉厚周壁の内面に形成した凹部の底壁上に立設した、押圧突条を有する押圧片としても良い。
【０００９】
また、本体後部の係止手段を、肉薄後壁の両側の肉厚周壁の内面に形成した凹部の底壁上に立設した弾性片の先端の係止突条とし、本体後部の押圧手段を、略中央部内面に押圧凸部を形成した肉薄後壁としても良い。
【００１０】
さらに、肉薄後壁を、肉厚周壁の内面よりも内側へ突出した形態とし、本体後部の係止手段を、肉薄後壁の両側の底壁上に立設した弾性片の先端の係止突条とし、本体後部の押圧手段を、肉薄後壁に切込み状に形成した、押圧突条を有する押圧片としても良い。
【００１１】
本体の底面上面の略中心部から肉薄後壁の中央部の間に前後方向の突条を設けると共に、ドラム枠の底面後部に、本体の突条が係合可能な長溝を設けても良い。
【００１２】
また、本体、蓋体及びドラム枠をそれぞれ平面略長円形状に形成すると共に、本体の周壁の両側端内面及びドラム枠の両側端外面に、組付け時に互に接する、前後方向に直線状の平面部をそれぞれ形成しても良い。
【００１３】
【作用】
本体に対するドラム枠の組付けは、ドラム枠を本体のドラム枠収納部に対して斜め前上方から挿入し、ドラム枠後面の係止手段と本体後部の係止手段とを係止させると共に、本体後部の押圧手段の弾力に抗してドラム枠を後退させながら、ドラム枠の前部を本体内に下降させ、かつ後方への押圧力を解除すると、本体の押圧手段の弾力によりドラム枠は前進し、その前面の係止手段と本体前部の係止手段とが係止し、本体に対するドラム枠の離脱不能な組付きが達成される。
【００１４】
また、本体からドラム枠を取外す場合は、ドラム枠を本体の押圧手段の弾力に抗して後方へ押してわずかに後退させると、ドラム枠前面の係止手段と本体前部の係止手段との係止が解除されるので、ドラム枠を前部から引き上げれば、ドラム枠の本体からの離脱が達成される。
【００１５】
本体後部の係止手段及び押圧手段を、周壁部分、即ち肉薄後壁とその両側部分に設けるので、これらの手段のためのスペースを節約することができ、本体の周壁内を収納空間として無駄なく有効に利用することができる。
【００１６】
特に、肉薄後壁部分に設けた係止手段又は押圧手段の後方への変位ストロークは、蓋体蝶番用凹部のスペースを利用できるので、この変位ストロークのためのスペースを特別に設ける必要が無くなる。
【００１７】
本体の周壁内面とドラム枠との間は、ドラム枠の着脱を円滑にするために多少の隙間が生ずるように形成されているので、ドラム枠の組付け時に、本体とドラム枠との係止手段が互に位置ずれしてその係止が不確実になるおそれがあるが、本体底壁の突条とドラム枠の長溝との組合せ、及び本体とドラム枠の各両側端の平面部の組合せの少くとも一方の手段を設けることにより、本体とドラム枠との位置決めが達成され、両者の係止が確実になると共に、組付け後のドラム枠のガタ付きが防止される。
【００１８】
【実施例】
以下、本発明の実施例を、図面を参照しながら説明する。
図１〜図３に図示した第１実施例にあって、本体１は略長円形状の底壁２の周縁に周壁３を設けてドラム枠収納部１５が形成されており、また、周壁３の後面中央部に蝶番用凹部４が、前面中央部に蓋体係止用凹部５がそれぞれ形成されている。
【００１９】
本体１の周壁３のうち、蝶番用凹部４を形成した部分の肉薄後壁３ａには、下端に係止突条６を形成した弾性片７が切込み状に設けてあり、この肉薄後壁３ａの両側の肉厚周壁３ｂの内面には、先端に押圧突条８を有する片持ち状の押圧片９、９が、後方への弾性変位ストローク分の空隙１０、１０を設けて一体に形成してあり、また、蓋体係止用凹部５を形成した部分の肉薄前壁３ｃの外面には蓋体係止用の係止突条１１が、内面にはドラム枠係止用の係止溝１２がそれぞれ設けてある。
【００２０】
蓋体１３は、その一端に設けた蝶番片１４により、本体１の蝶番用凹部４において本体１に蝶番結合されている。
【００２１】
ドラム枠２０は、本体１のドラム枠収納部１５に収納される有底短筒状の底部２１と、本体１の周壁３上に載置される鍔部２２とから成り、上面には二つの化粧料収納部２３、２４と、筆等を収納する用具収納部２５とを凹設している。
【００２２】
ドラム枠２０の底部２１の後側には、図２、図３に示すように、上端が固定された垂下板２６が一体に形成されており、そして、この垂下板２６の外面下部には、本体１の係止突条６が係止可能な係止溝２７が設けてある。
【００２３】
また、ドラム枠２０の前後部には、本体１の蓋体係止用凹部５及び蝶番用凹部４と対応する位置にそれぞれ凹部２８、２９が設けてあり、前部の凹部２８の外面には、本体１の係止溝１２に係止可能な係止突条３０が形成されている。
【００２４】
次に、本体１に対するドラム枠２０の着脱状態を説明する。
本体１にドラム枠２０を組付ける場合には、ドラム枠２０の後部を本体１のドラム枠収納部１５に対して斜め前上方から挿入し、ドラム枠２０の垂下板２６の係止溝２７に、本体１の弾性片７の係止突条６を係止させると共に、本体１の一対の押圧片９、９の弾力に抗しながらドラム枠２０を後退させ、次いで、ドラム枠２０の前部を本体１内に下降させ、かつ後方への押圧力を解除すると、本体１の押圧片９、９の弾力によりドラム枠２０は前進し、その前面の係止突条３０が本体１の係止溝１２に係止し、ドラム枠２０の装着組付きが達成される（図３参照）。
【００２５】
また、本体１からドラム枠２０を取外す場合は、図３の矢印のように、ドラム枠２０を本体１の押圧片９、９の弾力に抗して後方へ押してわずかに後退させると、ドラム枠２０の係止突条３０と本体１の係止溝１２との係止が解除されるので、ドラム枠２０を前部から引き上げれば、ドラム枠２０の本体１からの離脱が達成される。
【００２６】
図４〜図６に図示した本発明の第２実施例においては、本体１の弾性片７及び押圧片９、９を、肉薄後壁３ａ及び肉厚周壁３ｂとは別体にそれぞれ底壁２上に立設して構成、即ち、弾性片７を、両側一対の肉薄後壁３ａ、３ａの間の底壁２上に立設すると共に、押圧片９、９を肉薄後壁３ａの両側の肉厚周壁３ｂ、３ｂの内面に形成した凹部の底壁２上に立設して構成し、かつ係止突条６及び押圧突条８、８を弾性片７および押圧片９、９の上端に設けた構成としてあり、また、これに対応して、本体１の係止突条６が係止するドラム枠２０の係止溝２７は、垂下板２６の上端部に設けてある（図５参照）。
【００２７】
図７〜図１０に図示した本発明の第３実施例においては、本体１の係止突条６を有する弾性片７を、肉薄後壁３ａの両側の肉厚周壁３ｂ部分の内面側に形成した凹部の底壁２に立設し、また押圧突条８を有する押圧片９の代りに、肉薄後壁３ａの内面中央部に平面状の押圧凸部８ａを設け、肉薄後壁３ａ自体の弾性をドラム枠２０の押圧に利用することとし、そして、これに対応して、係止突条６が係止するドラム枠２０の係止溝２７は、垂下板２６の両側上端部に一対設けてある（図８参照）。
【００２８】
この第３実施例では、本体１後部の押圧手段を、中央部に押圧凸部８ａを設けた肉薄後壁３ａとしたので、本体１の製作が容易になると共に、両持ちバネによる比較的強い押圧力が得られ、従って前部における係止突条３０と係止溝１２との係止が確実になる。
【００２９】
図１１〜図１４に図示した本発明の第４実施例においては、肉薄後壁３ａ及び肉薄前壁３ｃの両側の肉厚周壁３ｂを前記した各実施例よりも肉薄に形成して、肉薄後壁３ａ及び肉薄前壁３ｃが内側へ突出した形態とし、肉薄後壁３ａには、先端に押圧突条８を有する一対の押圧片９、９を中央部から両側方向へ切込み状に設け、また肉薄後壁３ａの両側には、上端に係止突条６を有する一対の弾性片７、７を底壁２上に立設し、そして、肉薄前壁３ｃの両側の上記弾性片７、７と対向する位置にも、上端に係止突条６ａを有する一対の弾性片７ａ、７ａを立設してある。
【００３０】
底壁２の上面の略中心部から肉薄後壁３ａの中央部の間には、ドラム枠２０組付け時のスライドガイド兼ドラム枠２０のガタ付き防止用の突条３１が前後方向に設けてあり、また周壁３の両側端内面には、同様にスライドガイド兼ガタ付き防止用の平面部３２、３２が形成されており、そして、両肉厚周壁３ｂの内面上端部には段部３３が形成されている。
【００３１】
一方、ドラム枠２０の底部２１の後面と前面には、本体１の各弾性片７、７ａの係止突条６、６ａと係止可能な係止突条３４、３４ａが各一対設けてあると共に、底部２１の底面後部には、本体１の突条３１が係合可能な長溝３５が設けてある。
【００３２】
さらに、底部２１の両側端面には、本体１の平面部３２、３２に対応する平面部３６、３６が形成されていると共に、鍔部２２の下面には、本体１の段部３３に係合可能な段部３７が形成されている。
【００３３】
なお、この第４実施例におけるスライドガイド兼ガタ付き防止用の突条３１と長溝３５及び各平面部３２、３６は、第１、第２、第３実施例のコンパクト容器にも適用することができる。
【００３４】
【発明の効果】
本発明は、上記した構成となっているので、以下に示す効果を奏する。
本体後部の係止手段及び押圧手段を、周壁の蓋体蝶番用凹部を形成した部分の肉薄後壁とその両側部分に設けるので、これらの手段の設置スペースとその弾性変位ストロークのためのスペースを節約することができ、もって本体の周壁内を収納空間として無駄なく有効に利用することができるため、コンパクト容器の小型化を達成することができる。
【００３５】
本体底壁の突条とドラム枠の長溝との組合せ、及び本体とドラム枠の各両側端の平面部の組合せの少くとも一方の手段を設けることにより、本体とドラム枠との位置決めが達成され、両者の係止が確実になると共に、組付け後のドラム枠のガタ付きが防止される。
【図面の簡単な説明】
【図１】本発明の第１実施例を示す、一部省略した全体分解斜視図。
【図２】図１に示した実施例における、ドラム枠の背面図。
【図３】図１に示した実施例における、組付状態でのＡ−Ａ線断面図。
【図４】本発明の第２実施例を示す、一部省略した全体分解斜視図。
【図５】図４に示した実施例における、ドラム枠の背面図。
【図６】図４に示した実施例における、組付状態でのＢ−Ｂ線断面図。
【図７】本発明の第３実施例を示す、一部省略した全体分解斜視図。
【図８】図７に示した実施例における、ドラム枠の背面図。
【図９】図７に示した実施例における、組付状態でのＣ−Ｃ線断面図。
【図１０】図７に示した実施例における、組付状態でのＤ−Ｄ線断面図。
【図１１】本発明の第４実施例を示す、一部省略した全体分解斜視図。
【図１２】図１１に示した実施例における、ドラム枠の背面図。
【図１３】図１１に示した実施例における、組付状態でのＥ−Ｅ線断面図。
【図１４】図１１に示した実施例における、組付状態でのＦ−Ｆ線断面図。
【符号の説明】
１  ；  本体                      ２  ；  底壁
３  ；  周壁                      ３ａ；  肉薄後壁
３ｂ；  肉厚周壁                  ３ｃ；  肉薄前壁
４  ；  蝶番用凹部                ５  ；  蓋付係止用凹部
６、６ａ；  係止突条              ７：７ａ；  弾性片
８  ；  押圧突条                  ８ａ；  押圧凸部
９  ；  押圧片                    １０；  空隙
１１；  係止突条                  １２；  係止溝
１３；  蓋体                      １４；  蝶番片
１５；  ドラム枠収納部            ２０；  ドラム枠
２１；  底部                      ２２；  鍔部
２３、２４；  化粧料収納部        ２５；  用具収納部
２６；  垂下板                    ２７；  係止溝
２８、２９；  凹部                ３０；  係止突条
３１；  突条                      ３２；  平面部
３３；  段部                      ３４、３４ａ；  係止突条
３５；  長溝                      ３６；  平面部
３７；  段部
【図１】
0003691539.tif 000002
【図２】
0003691539.tif 000003
【図３】
0003691539.tif 000004
【図４】
0003691539.tif 000005
【図５】
0003691539.tif 000006
【図６】
0003691539.tif 000007
【図７】
0003691539.tif 000008
【図８】
0003691539.tif 000009
【図９】
0003691539.tif 000010
【図１０】
0003691539.tif 000011
【図１１】
0003691539.tif 000012
【図１２】
0003691539.tif 000013
【図１３】
0003691539.tif 000014
【図１４】
0003691539.tif 000015